(57)【要約】【課題】コーヒー飲料、アルコール飲料、清涼飲料水等の容器に使用されている缶に装着し、着脱が容易で、外観上の見栄えの良い缶用リーフレットを提供することを目的とするものである。【解決手段】本発明は、天板と該天板の少なくとも一辺に連設した側板とからなり、天板に孔設部が穿設され、該孔設部の内周辺から内方に向かって突出する複数の係止部が設けられていることを特徴とする缶用リーフレットであり、係止部が孔設部の内周辺の各々対向する位置に設けられていることを特徴とする。【選択図】図１
2006282233.tif 000002
【特許請求の範囲】
【請求項１】
天板と該天板の少なくとも一辺に連設した側板とからなり、前記天板に孔設部が穿設され、該孔設部の内周辺から内方に向かって突出する複数の係止部が設けられていることを特徴とする缶用リーフレット。
【請求項２】
前記係止部が前記孔設部の内周辺の各々対向する位置に設けられていることを特徴とする請求項１に記載の缶用リーフレット。
【請求項３】
前記側板が前記天板の対向する二辺に設けられていることを特徴とする請求項１又は２に記載の缶用リーフレット。
【請求項４】
前記側板が設けられいない前記天板の辺に補助片が設けられていることを特徴とする請求項１乃至３のいずれかに記載の缶用リーフレット。
【発明の詳細な説明】
【技術分野】
【０００１】
本発明は、宣伝、広告用として缶に取り付けて使用する缶用リーフレットに関するものである。
【背景技術】
【０００２】
従来、キャンペーン表示物等の各種広告表示物を缶に取り付けるには、広告の内容を印刷したリーフレットを輪ゴムや接着テープ等により缶に取り付けていた。しかし、広告の景品や広告表示その他の広告物等が見え難くなったり、缶から取り外した後に缶がそれによって汚れ易くなることがあるという問題がある。これらの問題を解消するために、図５に示すように、缶用としては、缶上端部の直径よりも若干小さい直径の開孔が穿設されていることを特徴とする缶専用首掛け袋３等が提案されている（例えば、特許文献１参照。）。
【特許文献１】特開２００４−１７５４１０号公報
【発明の開示】
【発明が解決しようとする課題】
【０００３】
しかしながら、上記の缶専用首掛け袋では、開孔部が缶上端部の直径よりも若干小さい直径で穿設されているだけのため、缶からの着脱が容易でないという問題がある。
【０００４】
本発明の缶用リーフレットは、このような問題点を解決し、コーヒー飲料、アルコール飲料、清涼飲料水等の容器に使用されている缶に装着し、着脱が容易で、外観上の見栄えの良い缶用リーフレットを提供することを目的とするものである。
【課題を解決するための手段】
【０００５】
本発明の請求項１の発明は、天板と該天板の少なくとも一辺に連設した側板とからなり、前記天板に孔設部が穿設され、該孔設部の内周辺から内方に向かって突出する複数の係止部が設けられていることを特徴とする缶用リーフレットである。
【０００６】
また、請求項２の発明は、請求項１の発明において、前記係止部が前記孔設部の内周辺の各々対向する位置に設けられていることを特徴とする缶用リーフレットである。
【０００７】
また、請求項３の発明は、請求項１又は２の発明において、前記側板が前記天板の対向する二辺に設けられていることを特徴とする缶用リーフレットである。
【０００８】
また、請求項４の発明は、請求項１乃至３の発明において、前記側板が設けられいない前記天板の辺に補助片が設けられていることを特徴とする缶用リーフレットである。
【発明の効果】
【０００９】
本発明の缶用リーフレットは、天板に缶の上端部の直径より大きい開孔部を設け、その開孔部の内周辺から内方に設けた係止部を缶の巻き締め部の下部に嵌入することによって、簡単に嵌め込んで装着することができ、そして、簡単には外れないという効果を有するものである。
【００１０】
また、側板を缶の側部に密接させることができ、高い宣伝効果をもたせることができる。
【００１１】
さらに、補助片を下方に折り曲げることにより、天板が撓みにくくなり、係止部が缶の巻き締め部の下縁から簡単に外れるのを防いでいるという効果を有するものである。
【発明の実施の形態】
【００１２】
本発明の缶用リーフレットの実施の形態について、一実施例に基づいて以下に詳細に説明する。図１は、本発明の缶用リーフレットを缶に取り付けた使用状態の一実施例を示す斜視図であり、図２は、本発明の缶用リーフレットの一実施例のブランクを示す展開図であり、図３は、本発明の缶用リーフレットの係止部の他の形状例を示す部分平面図であり、図４は、本発明の缶用リーフレットの側板の他の形状例を示す部分平面図であり、そして、図５は、従来のリーフレットの一例を示す平面図である。
【００１３】
本発明によるリーフレット１は、図１−ａに示すように、天板１１と側板１２、１２と、補助片１３、１３とからなり、天板１１には、開孔部１１ａが設けられ、その開孔部１１ａの内周辺から内方に向かって設けられた係止部１１ｂ、１１ｂ、１１ｂ、１１ｂが、図１−ｂに示すように、缶２の巻き締め部２２の下縁で係止されて、リーフレット１が缶に取り付けられた状態で保持されている。また、側板１２、１２と、補助片１３、１３とが下方に折り曲げられ缶２の側部２３に密接した状態となっている。そして、側板１２、１２には、宣伝広告、キャンペーン等の絵柄、表示が記載されている。
【００１４】
つぎに、本発明によるリーフレット１のブランクの展開図を図２に示している。ブランク１０は、天板１１と側板１２、１２と補助片１３、１３とからなり、天板１１と側板１２、１２とは折れ線ａ、ａを介して連設され、天板１１と補助片１３、１３とは折れ線ｂ、ｂを介して連接されている。天板１１は一辺が缶２の側部２３の直径と略同寸の正方形であり、略中央部には、缶２の上端部２１の直径ｒよりも若干大きい直径Ｒの開孔部１１ａが穿設されている。また、開孔部１１ａの内周辺からは、対向する位置に内方に向かって突出する２対の係止部１１ｂ、１１ｂ、１１ｂ、１１ｂが設けられている。この係止部１１ｂ、１１ｂ、１１ｂ、１１ｂを缶の巻き締め部の下縁で係止することによって、リーフレット１を缶に取り付けられた状態で保持することができる。側板１２、１２には、宣伝広告、キャンペーン等の絵柄、表示が記載されている。
【００１５】
この係止部１１ｂは、開孔部１１ａの内周辺の対向する位置に設けることが好ましく、従って、係止部１１ｂを設ける数は、１対乃至複数対とすることが好ましい。
【００１６】
また、係止部１１ｂの形状は、本実施例のような円弧状が好ましいが、缶２の巻き締め部２２の下縁で係止することが可能なものであれば特に限定されるものではなく、円弧状以外にも、例えば、図３に示すように、三角形状、長方形状、台形状等であってもよい。
【００１７】
また、側板１２、１２は、天板１１の上下辺に折れ線ａ、ａを介して連設され、下方に折り曲げられて缶２の側部２３に密接した状態で保持される。この側板１２、１２には、新商品の宣伝、懸賞等への応募、キャンペーン広告等の種々の情報が記載される。
【００１８】
この側板１２は、本実施例では、対向する位置に二面としているが、一面、三面、四面としてもよく、また、側板１２の形状は、本実施例では四角形としているが、装着した状態で缶２の下端から突出しない範囲内、缶２の直径ｒ幅以内であれば、特に限定されるものではなく、例えば、図４に示すように、半円形、三角形、台形等でもよく、さらに、種々のデザイン形状としてもよい。
【００１９】
また、天板１１の側板１２が連設されていない辺には、補助片１３が連設されている。この補助片１３は、下方に折り曲げることによって、天板１１が撓みにくくなり、係止部１１ｂが缶２の巻き締め部２２の下縁から簡単に外れるのを防いでいる。
【００２０】
本発明によるリーフレット１に使用する材料は、適度な剛性があり、鮮明なフルカラー印刷が可能であり、筆記性が良好であればいかなるものを使用してもよく、例えば、板紙、合成紙、プラスチックシートなどがあげられる。板紙の場合には、坪量が１００〜６００ｇ／ｍ2の範囲が好ましい。また、この板紙の表面にプラスチックフィルムを貼合することもできる。貼合するプラスチックフィルムをしては、ポリプロピレンフィルム、ポリ塩化フィルム、ポリエチレンテレフタレートフィルム等があげられ、用途、コスト等の観点から適宜選定することができる。このプラスチックフィルムを貼合することによって、表面光沢が高くなり外観上良好であるとともに、耐水強度等が向上する。
【００２１】
また、表面には、商品説明、広告宣伝等の絵柄、表示などの印刷を行うことができる。さらに、裏面にも表示などの印刷を行うことができ、この印刷は、オフセット印刷、グラビア印刷、スクリーン印刷あるいは凸版印刷等の公知の印刷方法で可能である。
【００２２】
このようにして作製したリーフレット１を実際に缶２へ装着する方法は、非常に簡単で、リーフレット１の天板１１を取付けようとする缶２の上端部２１に被せるように嵌め込むだけであり、係止部１１ｂが缶２の巻き締め部２２の下部の嵌入され係止される。天板１１を缶２に装着した後、側板１２、１２を下方に折り曲げ、補助片１３、１３を下方に折り曲げることにより本発明のリーフレット１の缶２への装着が完了する。
【産業上の利用可能性】
【００２３】
本発明の缶用リーフレットは、新商品やキャンペーン等のご案内欄、キャンペーン参加、クーポン券、懸賞等への応募要項説明欄、アンケートやクイズの設問欄等に使用することができる。
【図面の簡単な説明】
【００２４】
【図１】本発明の缶用リーフレットを缶に取り付けた使用状態の一実施例を示す斜視図である。
【図２】本発明の缶用リーフレットの一実施例のブランクを示す展開図である。
【図３】本発明の缶用リーフレットの係止部の他の形状例を示す部分平面図である。
【図４】本発明の缶用リーフレットの側板の他の形状例を示す部分平面図である。
【図５】従来のリーフレットの一例を示す平面図である。
【符号の説明】
【００２５】
１    リーフレット
１１    天板
１１ａ  開孔部
１１ｂ  係止部
１２    側板
１３    補助片
２    缶
２１    上端部
２２    巻き締め部
２３    側部
２４    下端部
３    従来の缶用リーフレットの一例
ａ、ｂ  折れ線
【図１】
2006282233.tif 000003
【図２】
2006282233.tif 000004
【図３】
2006282233.tif 000005
【図４】
2006282233.tif 000006
【図５】
2006282233.tif 000007